(57)【特許請求の範囲】
【請求項１】
集塵部及びこの集塵部に吸込負圧を作用させる電動送風機を内蔵すると共に前部が上方に位置する起立状態で床面に載置可能な掃除機本体と、
該掃除機本体に基端部が着脱自在に接続されると共に先端部から塵埃を捕集する集塵ホースと、を備え、
前記掃除機本体は、前記掃除機本体の使用時に上側に位置する面に設けられると共に、前記掃除機本体の最頂部よりも低く形成されて前記掃除機本体の外周面から突出するホース押え部を有し、前記掃除機本体の上部側に係合手段で前記集塵ホースの前記先端部を係合させて前記掃除機本体を起立させたときに、前記集塵ホースの中間部に覆い被さるように前記掃除機本体と前記ホース押え部と前記床面との間に前記集塵ホースの中間部を挟持可能であることを特徴とする電気掃除機。
【請求項２】
前記集塵ホースは、前記掃除機本体を起立させたときに、前記集塵ホースの基端部の側面側に前記係合手段で前記先端部が係合されることを特徴とする請求項１に記載の電気掃除機。
【発明の詳細な説明】
【技術分野】
【０００１】
本発明は、着脱自在に集塵ホースが接続される掃除機本体を起立状態で床面に載置可能な電気掃除機に関するものである。
【背景技術】
【０００２】
従来から、ホース部を掃除機本体側に係止して収納する電気掃除機が知られている（例えば、特許文献１参照）。
【０００３】
この電気掃除機では、掃除機本体の本体継手部に、ホース部のホース継手を保持可能なフック部を設けている。
【０００４】
そして、掃除機本体を縦置き状態にしたときに、ホース部の中間部を掃除機本体に巻きつけると共に、本体継手部のフック部にホース継手を保持させて収納している。
【特許文献１】特開２００３−１２５９８８号公報
【発明の開示】
【発明が解決しようとする課題】
【０００５】
ところで、上述の電気掃除機では、ホース部の中間部が掃除機本体に巻きつけられているだけなので、ホース部を所定の方向に沿ってきちんと巻きつけていかないと、このホース部が乱雑に湾曲したり浮き上がったりしてしまい、コンパクトに収納できないという問題があった。
【０００６】
また、ホース部を掃除機本体に巻きつけることで変形し、ホース部に内蔵された給電線等を傷つけるおそれもあった。
【０００７】
そこで、この発明は、集塵ホースを容易に且つコンパクトに収納することができると共に、収納時の集塵ホースの変形を抑えることができる電気掃除機を提供することを目的としている。
【課題を解決するための手段】
【０００８】
上記課題を解決するために、この発明は、集塵部及びこの集塵部に吸込負圧を作用させる電動送風機を内蔵すると共に前部が上方に位置する起立状態で床面に載置可能な掃除機本体と、該掃除機本体に基端部が着脱自在に接続されると共に先端部から塵埃を捕集する集塵ホースと、を備え、前記掃除機本体は、前記掃除機本体の使用時に上側に位置する面に設けられると共に、前記掃除機本体の最頂部よりも低く形成されて前記掃除機本体の外周面から突出するホース押え部を有し、前記掃除機本体の上部側に係合手段で前記集塵ホースの前記先端部を係合させて前記掃除機本体を起立させたときに、前記集塵ホースの中間部に覆い被さるように前記掃除機本体と前記ホース押え部と前記床面との間に前記集塵ホースの中間部を挟持可能であることを特徴としている。
【発明の効果】
【０００９】
本発明の電気掃除機によれば、集塵ホースの収納時に掃除機本体とホース押え部と床面との間で集塵ホースを押えることができ、集塵ホースの乱雑な湾曲やぶらつき、浮き上がり等を防止して、コンパクトに収納することができる。
【００１０】
また、集塵ホースを巻きつける必要がないので、集塵ホースを容易に収納することができる。
【００１１】
さらに、集塵ホースを巻きつけなくとも収納することができるので、集塵ホースの変形を抑制して給電線等の傷つきを防止することが可能となる。
【発明を実施するための最良の形態】
【００１２】
以下、この発明に係る電気掃除機を実施するための最良の形態を図面に基づいて説明する。
【００１３】
図１に示す電気掃除機１０は、掃除機本体１１と、この掃除機本体１１の接続口１１Ａに基端部１２Ａが着脱自在に接続された集塵ホース１２と、この集塵ホース１２の先端部１２Ｂに設けられた手元操作管１３と、手元操作管１３に着脱自在に接続された延長管１４と、延長管１４の先端部に着脱自在に接続された吸込口体１５とを備えている。
【００１４】
手元操作管１３には、操作部１３Ａが設けられており、この操作部１３Ａには後述する電動送風機２２をＯＮ／ＯＦＦ操作する操作スイッチ１３ａ等が設けられている。
【００１５】
吸込口体１５には、底面に塵埃を吸引する図示しない吸込開口（塵埃吸込口）を有する吸込室（図示せず）が形成されており、この吸込室は延長管１４、集塵ホース１２、接続口１１Ａを順に介して掃除機本体１１内に連通している。
【００１６】
掃除機本体１１は、本体ケース２０と、本体ケース２０に着脱自在に装着される集塵容器（集塵部）２１とを備えている。
【００１７】
本体ケース２０は、後側に電動送風機２２（図１参照）が内蔵された送風機室（図示せず）が形成され、前側に集塵容器２１が着脱自在に装着される集塵室（図示せず）が形成されている。そして、この集塵室は前側に形成された接続口１１Ａ及び送風機室にそれぞれ連通しており、集塵室内に集塵容器２１が装着されると送風機室に連通することとなる。
【００１８】
これにより、電動送風機２２により生じた吸込負圧が集塵容器２１に作用すると共に、この集塵容器２１から接続口１１Ａに接続された基端部１２Ａを介して集塵ホース１２等へ順に作用するようになっている。
【００１９】
また、本体ケース２０は、図２に示すように、前側（前部）が上方に位置する起立状態で床面Ｙに載置可能となるように後面２０Ａ（図４参照）が形成されると共に、後輪Ｓが本体ケース２０の起立時に邪魔にならない位置に設けられている。
【００２０】
さらに、本体ケース２０の外周面には、ホース押え部２３が突出形成されている。
【００２１】
このホース押え部２３は、図１に示す電気掃除機１の使用時において、本体ケース２０の上側に位置する面に設けられると共に、後面２０Ａ近傍に設けられている。
【００２２】
また、このホース押え部２３は、図５に示すように、後方に向かうにつれて次第に高くなっているが、最も突出した先端部Ｑが本体ケース２０の最頂部Ｐよりも低くなるように形成されている。つまり床面Ｙからホース押え部２３の先端部Ｑまでの距離Ｈ１よりも、床面Ｙから本体ケース２０の最頂部Ｐまでの距離Ｈ２の方が大きくなっている。
【００２３】
なお、「最頂部Ｐ」とは、電気掃除機１の使用時に、掃除機本体１１において最も高くなる点である。
【００２４】
さらに、このホース押え部２３は、図２に示すように、上面視ほぼ半月形状を呈しており、突出した先端部Ｑが円弧状に形成されている。
【００２５】
集塵ホース１２は、可撓性を有する蛇腹状の管本体１２Ｃと、この管本体１２Ｃの一端に形成された基端部１２Ａと、管本体１２Ｃの他端に形成された先端部１２Ｂとを備えている。
【００２６】
管本体１２Ｃは、自在に屈曲可能に形成されており、図示しない給電線が周面に沿って螺旋状に埋め込まれている。また、この管本体１２Ｃの外径は、掃除機本体１１が起立状態で床面Ｙ上に載置されたときに、この掃除機本体１１とホース押え部２３と床面Ｙとの間にはまり込んで挟持可能な大きさに形成されている。
【００２７】
基端部１２Ａは、接続口１１Ａに挿脱される係止部１２Ａａと、係止部１２Ａａに一体にされると共に管本体１２Ｃの端部を覆うホースカバー部１２Ａｂとを有している。
【００２８】
係止部１２Ａａには、図示しない係止ツメが設けられており、この係止ツメが接続口１１Ａの内側に係止することで固定されるようになっている。
【００２９】
また、ホースカバー部１２Ａｂの側面には、係合手段である係合フック１６Ａが形成されており、後述する係合手段である係合溝１６Ｂが挿入されて互いに係合するようになっている。この係合フック１６Ａは、係止部１２Ａａが接続口１１Ａに係止されたときに、掃除機本体１１の側面側に位置するように設けられている。
【００３０】
そして、先端部１２Ｂは、管本体１２Ｃの端部を覆うと共に、手元操作管１３が回動自在に取り付けられている。さらに、この先端部１２Ｂの周面には係合溝１６Ｂが形成されている。
【００３１】
なお、係合フック１６Ａ及び係合溝１６Ｂは、それぞれ管本体１２Ｃの軸方向に沿って延在されている。
【００３２】
次に、この発明の電気掃除機１の作用について説明する。
【００３３】
この電気掃除機１を収納するには、まず、手元操作管１３から延長管１４を取り外す。このとき、手元操作管１３に設けられた接続ボタン１３Ｂを押しながら延長管１４を引き抜く。一方、延長管１４と吸込口体１５とは接続したままにしておく。なお、延長管１４は最も収縮した状態にしておく。
【００３４】
次に、掃除機本体１１を起立させ、後面２０Ａを下にして床面Ｙに載置する。ここで、接続口１１Ａが掃除機本体１１の前側に設けられているので、掃除機本体１１が起立するとこの接続口１１Ａが掃除機本体１１の上部側に位置することとなる。
【００３５】
そして、この接続口１１Ａに接続された集塵ホース１２の基端部１２Ａの係合フック１６Ａに、集塵ホース１２の先端部１２Ｂの係合溝１６Ｂを挿入係合させ、互いに固定する。
【００３６】
これにより、集塵ホース１２の先端部１２Ｂが掃除機本体１１の上部側に係合される。つまり、集塵ホース１２の端部同士が掃除機本体１１の上部側において互いに固定されることとなる。
【００３７】
なお、係合フック１６Ａ及び係合溝１６Ｂが、それぞれ管本体１２Ｃの軸方向に沿って延在されているので、手元操作管１３が上方を向いた状態となる。また、係合フック１６Ａがホースカバー部１２Ａｂの側面に形成されているので、先端部１２Ｂは、集塵ホース１２の先端部１２Ａの側面側に係合される。
【００３８】
一方、集塵ホース１２の中間部である管本体１２Ｃは、図２に示すように、掃除機本体１１の上部から床面Ｙに向かって垂れ下がってから、再び掃除機本体１１の上部に向けて湾曲されている。
【００３９】
このとき、管本体１２Ｃの床面Ｙに接触している部分が、図４に示すように、掃除機本体１１とホース押え部２３と床面Ｙとの間にはまり込んで挟持される。
【００４０】
これにより、管本体１２Ｃを掃除機本体１１に沿わせながら湾曲させると共に、管本体１２Ｃの床面Ｙに接触した部分を押えることができる。
【００４１】
このため、管本体１２Ｃが乱雑に湾曲したり、ぶらついたりすることを防止して、コンパクトに掃除機本体１１を収納することができる。
【００４２】
また、集塵ホース１２を掃除機本体１１の周囲に巻きつける必要がないので、集塵ホース１２を容易に収納することができる。つまり、所定の方向に沿って集塵ホース１２を湾曲させていかなくとも、集塵ホース１２が自然に湾曲して確実に収納することが可能となる。
【００４３】
さらに、このように集塵ホース１２を巻きつけなくとも収納することができるので、集塵ホース１２の変形を抑制して内蔵された給電線等の傷つきを防止することが可能となる。
【００４４】
また、延長管１４は、図３に示すように、吸込口体１５と一体に接続したまま掃除機本体１１に形成された図示しない保持部に保持され、掃除機本体１１に沿って起立した状態で収納される。
【００４５】
そして、この電気掃除機１０を使用状態にするには、まず、延長管１４を掃除機本体１１から取り外す。このとき、延長管１４を上方に引き抜くことで保持部（図示せず）から取り外すことができる。
【００４６】
次に、掃除機本体１１を前方（車輪Ｓが床面Ｙ上に載置される方向）に傾ける。掃除機本体１１が傾くことにより、掃除機本体１１とホース押え部２３と床面Ｙとの間の空間が広がり、集塵ホース１２の管本体１２Ｃを容易に自由にすることができる。
【００４７】
そして、掃除機本体１１を使用状態になるように床面Ｙ上に横置き状態で載置する一方、集塵ホース１２の係合フック１６Ａから係合溝１６Ｂを抜き外し、集塵ホース１２の先端部１２Ｂを基端部１２Ａから離間させる。
【００４８】
このとき、すでに管本体１２Ｃは自由になっているので、先端部１２Ｂを円滑に離間させることができると共に、管本体１２Ｃが掃除機本体１１に引っかかることがない。
【００４９】
そして、手元操作管１３と延長管１４とを接続し、電気掃除機１０を使用状態にすることができる。
【００５０】
以上説明したように、この発明の電気掃除機１０では、集塵容器２１及びこの集塵容器２１に吸込負圧を作用させる電動送風機２２を内蔵すると共に前側が上方に位置する起立状態で床面Ｙに載置可能な掃除機本体１１と、この掃除機本体１１に基端部１２Ａが着脱自在に接続されると共に先端部１２Ｂから塵埃を捕集する集塵ホース１２とを備え、掃除機本体１１は、外周面から突出するホース押え部２３を有し、集塵ホース１２は、掃除機本体１１を起立させて、この掃除機本体１１の上部側に係合フック１６Ａ及び係合溝１６Ｂで先端部１２Ｂを係合させたときに、管本体１２Ｃが掃除機本体１１とホース押え部２３と床面Ｙとの間に挟持される。
【００５１】
これにより、管本体１２Ｃが乱雑に湾曲したり、ぶらついたり、浮き上がったりすることを防止し、コンパクトに収納することができる。特に、集塵ホース１２の全長にバラツキが生じていても、掃除機本体１１とホース押え部２３と床面Ｙとの間に挟持することで、管本体１２Ｃをコンパクトに押さえ込むことが可能となる。
【００５２】
また、集塵ホース１２を掃除機本体１１の周囲に巻きつける必要がなく、集塵ホース１２を容易に収納することができると共に、集塵ホース１２の変形を抑制して内蔵された給電線等の傷つきを防止することが可能となる。
【００５３】
また、この電気掃除機１０は、ホース押え部２３が掃除機本体１１の使用時に上側に位置する面に設けられると共に、この電気掃除機１１の最頂部Ｐよりも低く形成されている。
【００５４】
これにより、電気掃除機１０の使用中に掃除機本体１１が壁や家具等に接触しても、ホース押え部２３が壁等に接触することがなく、このホース押え部２３によって壁等を傷つけることを防止できる。
【００５５】
また、掃除機本体１１が逆さ状態になっても、ホース押え部２３が掃除機本体１１の最頂部Ｐよりも低く形成されているために、床面Ｙに接触して傷つけることがない。
【００５６】
さらに、この電気掃除機１０は、集塵ホース１２が掃除機本体１１を起立させたときに、この集塵ホース１２の先端部１２Ａの側面側に係合フック１６Ａ及び係合溝１６Ｂで先端部１２Ｂが係合されるので、集塵ホース１２の管本体１２Ｃがよじれることなく自然な状態で容易に収納することができる。
【００５７】
そして、ここでは、ホース押え部２３の先端部Ｑが円弧状に形成されているため、集塵ホース１２を挟持させたり、取り外したりする際により円滑に行うことが可能となる。
【００５８】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００５９】
上述の実施の形態では、手元操作管と延長管とを分離した状態で収納しているが、これに限らず、手元操作管と延長管とを接続したまま収納する際に、集塵ホースが床面に接触する場合であれば適用することが可能となる。
【００６０】
この場合も集塵ホースの乱雑な湾曲やぶらつき等を抑制してコンパクトに収納することが可能となる。
【００６１】
さらに、上述の実施の形態では、キャニスタ型のタイプの電気掃除機について説明したが、アップライト式の電気掃除機であっても集塵ホースを床面に接触させた状態で収納する場合であれば適用することもできる。
【図面の簡単な説明】
【００６２】
【図１】この発明に係る電機掃除機の外観を示した斜視図である。
【図２】図１に示す電気掃除機の収納状態の正面図である。
【図３】図１に示す電気掃除機の収納状態の側面図である。
【図４】図３において集塵ホースが床面に接触する部分を拡大した拡大側面図である。
【図５】掃除機本体の使用状態の側面図である。
【符号の説明】
【００６３】
１０          電気掃除機
１１          掃除機本体
１２          集塵ホース
１２Ａ        基端部
１２Ｂ        先端部
１２Ｃ        中間部（管本体）
１６Ａ        係合手段（係合フック）
１６Ｂ        係合手段（係合溝）
２１          集塵部
２２          電動送風機
２３          ホース押え部 
Ｙ            床面
【図１】
0004772523.tif 000002
【図２】
0004772523.tif 000003
【図３】
0004772523.tif 000004
【図４】
0004772523.tif 000005
【図５】
0004772523.tif 000006